【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
可搬性を有し、溶融金属を貯留可能で、外部から加圧気体を導入するための通路を有する密閉型の容器本体と、
前記容器本体内に貯留された溶融金属を外部に導出するための、導出口が下向きの配管と、
前記配管の導出口の下方に位置することが可能な溶融金属の受け皿と、
前記配管に支点を有し、前記受け皿を前記配管の導出口の下方に位置する第１の位置と前記配管の導出口の下方から退いた第２の位置との間で回転可能に保持する保持部材と、
一端が前記受け皿又は前記保持部材に接続されたワイヤーと、
前記容器本体の通路に通じる第１の弁口、加減圧用の配管に通じる第２の弁口、および大気開放部に通じる第３の弁口とを有し、前記第１の弁口と前記第３の弁口との間で気体を流通可能にする第１のモードと前記第１の弁口と前記第２の弁口との間で気体を流通可能にする第２のモードとを切り替え可能なバルブと、
前記ワイヤーの他端が接続されるとともに前記バルブと連結され、第１の操作位置と第２の操作位置との間を手動で回動可能とされ、前記第１の操作位置にあるとき前記バルブを前記第１のモードとするとともに前記受け皿を前記第１の位置に設定し、前記第２の操作位置にあるとき前記バルブを前記第２のモードとするとともに前記受け皿を前記第２の位置に設定する操作レバーと
を具備することを特徴とする溶融金属供給容器。
【請求項２】
請求項１に記載の溶融金属供給容器であって、
前記受け皿は、前記保持部材に対して揺動可能に取り付けられていることを特徴とする溶融金属供給容器。
【請求項３】
請求項１に記載の溶融金属供給容器であって、
前記配管は、前記容器本体上面から上方に向かう第１の部位と、当該第１の部位と連続し前記容器本体から遠ざかるに従って上方に向かう傾斜を有する第２の部位と、当該第２の部位と連続し、当該第２の部位側と反対側端部が前記導出口である下方に向かう第３の部位とを有し、
前記支点は、前記第３の部位の上部に設けられていることを特徴とする溶融金属供給容器。
【請求項４】
請求項３に記載の溶融金属供給容器であって、
前記配管は、前記第１の部位と前記第２の部位との連結部に案内部材を有し、
前記ワイヤーは、前記案内部材を介して前記操作レバーに接続されていることを特徴とする溶融金属供給容器。
【請求項５】
請求項１に記載の溶融金属供給容器であって、
前記第２の位置は、前記保持部材を前記支点を中心に前記受け皿が前記容器本体側に近づくように回動させた位置であることを特徴とする溶融金属供給容器。
【請求項６】
請求項５に記載の溶融金属供給容器であって、
前記保持部材は、前記配管を挟むように当該配管の両側に２本配置されており、
前記２本の保持部材は、その前記回動する方向側に前記２本の保持部材を連結するストッパー部材を有することを特徴とする溶融金属供給容器。
【請求項７】
請求項１に記載の溶融金属供給容器であって、
前記操作レバーは、当該操作レバーの回動に伴って、当該操作レバーの先端が前記配管に向かって直線的に進退するように、当該操作レバーの回動操作の向きが設定されていることを特徴とする溶融金属供給容器。
【請求項８】
請求項１に記載の溶融金属供給容器であって、
前記操作レバーは、当該操作レバーの先端寄りに重りを設け、
前記重りと前記バルブとの間に前記ワイヤーの他端が接続されていることを特徴とする溶融金属供給容器。
【請求項９】
請求項１に記載の溶融金属供給容器であって、
前記バルブの前記第３の弁口と前記大気開放部との間に配置され、気体の流通を許容し、且つ、溶融金属の流通を規制する流通規制部をさらに具備することを特徴とする溶融金属供給容器。
【請求項１０】
請求項９に記載の溶融金属供給容器であって、
前記流通規制部は、前記溶融金属が流通しようとしたときに当該溶融金属の熱を奪ってその粘性を高めるか、または当該溶融金属を固化させるものであることを特徴とする溶融金属供給容器。
【請求項１１】
可搬性を有し、溶融金属を貯留可能で、外部から加圧気体を導入するための通路を有する密閉型の容器本体と、前記容器本体内に貯留された溶融金属を外部に導出するための、導出口が下向きの配管と、前記配管の導出口の下方に位置することが可能な溶融金属の受け皿と、前記配管に支点を有し、前記受け皿を前記配管の導出口の下方に位置する第１の位置と前記配管の導出口の下方から退いた第２の位置との間で回転可能に保持する保持部材と、一端が前記受け皿又は前記保持部材に接続されたワイヤーと、前記容器本体の通路に通じる第１の弁口、加減圧用の配管に通じる第２の弁口、および大気開放部に通じる第３の弁口とを有するバルブと、前記ワイヤーの他端が接続されるとともに前記バルブと連結され、第１の操作位置と第２の操作位置との間を手動で回動可能とされる操作レバーとを具備する溶融金属供給容器を用いた溶融金属供給方法であって、
前記操作レバーが前記第１の操作位置にあるとき前記バルブを前記第１の弁口と前記第３の弁口との間で気体を流通可能にする第１のモードとするとともに前記受け皿を前記第１の位置に設定し、
前記操作レバーが前記第２の操作位置にあるとき前記バルブを前記第１の弁口と前記第２の弁口との間で気体を流通可能にする前記第２のモードとするとともに前記受け皿を前記第２の位置に設定することを特徴とする溶融金属供給方法。
【請求項１２】
可搬性を有し、溶融金属を貯留可能で、内圧調整用の通路を備えた蓋を有する密閉型の容器本体と、
前記容器本体内に貯留された溶融金属を外部に導出可能で、導出口が下向きの配管と、
前記配管から零れ落ちる溶融金属を受け取る受け皿と、
前記配管の導出口の下方に位置する第１の位置と前記配管の導出口の下方から退いた第２の位置との間で、前記受け皿を移動可能な保持部材と、
前記通路と大気開放部との間で気体を流通可能にする第１の操作位置と、前記通路と加減圧用の配管との間で気体を流通可能にする第２の操作位置とを有する操作レバーと
を具備し、
前記保持部材は、前記操作レバーを前記第１の操作位置としたときに前記受け皿を第１の位置とし、前記操作レバーを前記第２の操作位置としたときに前記受け皿を第２の位置とするように、前記操作レバーに連動されて前記受け皿を移動することを特徴とする溶融金属供給容器。
【手続補正２】
【補正対象書類名】明細書
【補正対象項目名】発明の名称
【補正方法】変更
【補正の内容】
【発明の名称】溶融金属供給容器および溶融金属供給方法
【手続補正３】
【補正対象書類名】明細書
【補正対象項目名】０００１
【補正方法】変更
【補正の内容】
【０００１】
本発明は、例えば溶融したアルミニウムなどの溶融金属の供給に用いられる溶融金属供給容器および溶融金属供給方法に関する。
【手続補正４】
【補正対象書類名】明細書
【補正対象項目名】０００７
【補正方法】変更
【補正の内容】
【０００７】
本発明は、このような課題に対処するもので、配管の口から零れ落ちる溶融金属を受け取る受け皿を、適切なタイミングで且つ確実に適所に移動させることのできる溶融金属供給容器および溶融金属供給方法を提供することを目的としている。
【手続補正５】
【補正対象書類名】明細書
【補正対象項目名】００１０
【補正方法】変更
【補正の内容】
【００１０】
受け皿は、保持部材に対して揺動可能に取り付けられていることが望ましい。これにより、受け皿は常に所定の姿勢を維持し、受け皿で受けた溶融アルミニウムが受け皿から零れ落ち難くなる。また、前記配管は、前記容器本体上面から上方に向かう第１の部位と、当該第１の部位と連続し前記容器本体から遠ざかるに従って上方に向かう傾斜を有する第２の部位と、当該第２の部位と連続し、当該第２の部位側と反対側端部が前記導出口である下方に向かう第３の部位とを有し、前記支点は、前記第３の部位の上部に設けられていることを特徴とする。さらに前記配管は、前記第１の部位と前記第２の部位との連結部に案内部材を有し、前記ワイヤーは、前記案内部材を介して前記操作レバーに接続されていることを特徴とする。また、前記第２の位置は、前記保持部材を前記支点を中心に前記受け皿が前記容器本体側に近づくように回動させた位置であることを特徴とする。さらに前記保持部材は、前記配管を挟むように当該配管の両側に２本配置されており、前記２本の保持部材は、その前記回動する方向側に前記２本の保持部材を連結するストッパー部材を有することを特徴とする。また、前記操作レバーは、当該操作レバーの回動に伴って、当該操作レバーの先端が前記配管に向かって直線的に進退するように、当該操作レバーの回動操作の向きが設定されていることを特徴とする。さらに前記操作レバーは、当該操作レバーの先端寄りに重りを設け、前記重りと前記バルブとの間に前記ワイヤーの他端が接続されていることを特徴とする。
【手続補正６】
【補正対象書類名】明細書
【補正対象項目名】００１１
【補正方法】変更
【補正の内容】
【００１１】
バルブの第３の弁口と大気開放部との間に、気体の流通を許容し、且つ、溶融金属の流通を規制する流通規制部を配置してもよい。この流通規制部は、溶融金属が流通しようとしたときに溶融金属の熱を奪ってその粘性を高めるか或いは固化させる規制部材を有することが好ましい形態である。このような流通規制部を付加したことで、気体の膨張や、水分の蒸発等によって上昇した容器の内圧を流通規制部を通して容器外へ逃がすことができるとともに、容器内の溶融金属そのものが外部へ漏れ出るのを防止することができる。本発明の他の観点に係る溶融金属供給方法は、可搬性を有し、溶融金属を貯留可能で、外部から加圧気体を導入するための通路を有する密閉型の容器本体と、前記容器本体内に貯留された溶融金属を外部に導出するための、導出口が下向きの配管と、前記配管の導出口の下方に位置することが可能な溶融金属の受け皿と、前記配管に支点を有し、前記受け皿を前記配管の導出口の下方に位置する第１の位置と前記配管の導出口の下方から退いた第２の位置との間で回転可能に保持する保持部材と、一端が前記受け皿又は前記保持部材に接続されたワイヤーと、前記容器本体の通路に通じる第１の弁口、加減圧用の配管に通じる第２の弁口、および大気開放部に通じる第３の弁口とを有するバルブと、前記ワイヤーの他端が接続されるとともに前記バルブと連結され、第１の操作位置と第２の操作位置との間を手動で回動可能とされる操作レバーとを具備する溶融金属供給容器を用いた溶融金属供給方法であって、前記操作レバーが前記第１の操作位置にあるとき前記バルブを前記第１の弁口と前記第３の弁口との間で気体を流通可能にする第１のモードとするとともに前記受け皿を前記第１の位置に設定し、前記操作レバーが前記第２の操作位置にあるとき前記バルブを前記第１の弁口と前記第２の弁口との間で気体を流通可能にする前記第２のモードとするとともに前記受け皿を前記第２の位置に設定することを特徴とする。また、本発明の他の観点に係る溶融金属供給容器は、可搬性を有し、溶融金属を貯留可能で、内圧調整用の通路を備えた蓋を有する密閉型の容器本体と、前記容器本体内に貯留された溶融金属を外部に導出可能で、導出口が下向きの配管と、前記配管から零れ落ちる溶融金属を受け取る受け皿と、前記配管の導出口の下方に位置する第１の位置と前記配管の導出口の下方から退いた第２の位置との間で、前記受け皿を移動可能な保持部材と、前記通路と大気開放部との間で気体を流通可能にする第１の操作位置と、前記通路と加減圧用の配管との間で気体を流通可能にする第２の操作位置とを有する操作レバーとを具備し、前記保持部材は、前記操作レバーを前記第１の操作位置としたときに前記受け皿を第１の位置とし、前記操作レバーを前記第２の操作位置としたときに前記受け皿を第２の位置とするように、前記操作レバーに連動されて前記受け皿を移動することを特徴とする。
【手続補正７】
【補正対象書類名】明細書
【補正対象項目名】００２０
【補正方法】変更
【補正の内容】
【００２０】
上記の大蓋１５には開口部１８が設けられ、開口部１８には取っ手が取り付けられたハッチ（小蓋）１６が配置されている。ハッチ１６は大蓋１５上面よりも少し高い位置に設けられている。ハッチ１６の外周の１ヶ所にはヒンジ２０を介して大蓋１５に取り付けられている。これにより、ハッチ１６は大蓋１５の開口部１８に対して開閉可能とされている。また、ハッチ１６の２ヶ所には、ハッチ１６を大蓋１５に固定するためのハンドル付のボルト２１が取り付けられている。大蓋１５の開口部１８をハッチ１６で閉めてハンドル付のボルト２１を回動することでハッチ１６が大蓋１５に固定されることになる。また、ハンドル付のボルト２１を逆回転させて締結を開放してハッチ１６を大蓋１５の開口部１８から開くことができる。そして、ハッチ１６を開いた状態で開口部１８を介して容器１内部のメンテナンスや予熱時のガスバーナの挿入が行われるようになっている。
【手続補正８】
【補正対象書類名】明細書
【補正対象項目名】００２１
【補正方法】変更
【補正の内容】
【００２１】
また、ハッチ１６の中央、或いは中央から少しずれた位置には、容器１内の内圧調整用の通路１９が設けられている。この通路１９の一端は容器１内の貯留部９に開口し、他端はハッチ１６の上面に達し、三方バルブ６０を介して加減圧用の配管２２と連結されている。
【手続補正９】
【補正対象書類名】明細書
【補正対象項目名】００２３
【補正方法】変更
【補正の内容】
【００２３】
ハッチ１６の所定の間隔をおいた２箇所には、液面検出用の電極棒２３が挿入されている。大蓋１５及びハッチ１６は、金属製のフレーム内側にライニング（断熱層と耐火層とを積層）を設けた構造とされている。
【手続補正１０】
【補正対象書類名】明細書
【補正対象項目名】００３８
【補正方法】変更
【補正の内容】
【００３８】
ここで、操作レバー６６を第２の操作位置である「９時」の位置にすると、加減圧用の配管２２と容器１内とが接続されると同時に、ワイヤー４４が引かれることで受け皿４０が配管４の導出口３１の下方から退いた第２の位置に来るように保持部材４２が容器１側に回動される。したがって、この状態で配管４の導出口３１から溶融アルミニウムを導出したり、容器１内に溶融アルミニウムを導入することが可能となる。
【手続補正１１】
【補正対象書類名】明細書
【補正対象項目名】００４５
【補正方法】変更
【補正の内容】
【００４５】
この際、たとえば、溶融アルミニウムが受け側から急にあふれそうになった場合等、緊急事態が生じたときには、すぐに加圧を停止し、溶融アルミニウムの供給をストップさせる必要がある。そこで、この場合には、操作レバー６６を手動で第１の操作位置である「０時」の位置に回動させて三方バルブ６０を第１のモードに切替える。三方バルブ６０を第１のモードに切り替えると、加減圧用の配管２２に通じる第２の弁口６３がバルブ部品６５によって塞がれるので、容器１内への加圧用気体の供給が停止される。同時に、容器１の内圧調整用の通路１９に通じる第１の弁口６２と大気開放部に通じる第３の弁口６４との間で気体の流通が可能となるので、容器１内が大気に開放され、加圧状態であった容器１内が大気圧に戻される。
【手続補正１２】
【補正対象書類名】図面
【補正対象項目名】図２
【補正方法】変更
【補正の内容】
【図２】
2006315042.tif 000001
【手続補正１３】
【補正対象書類名】図面
【補正対象項目名】図４
【補正方法】変更
【補正の内容】
【図４】
2006315042.tif 000002
【手続補正１４】
【補正対象書類名】図面
【補正対象項目名】図５
【補正方法】変更
【補正の内容】
【図５】
2006315042.tif 000003
【手続補正１５】
【補正対象書類名】図面
【補正対象項目名】図７
【補正方法】変更
【補正の内容】
【図７】
2006315042.tif 000004